【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
テキストゾーンの位置を特定するために文書の電子版のレイアウト分析を実行し、
文書の電子版のテキストゾーンへスケールと重要度についての属性を割当て、
画像を生成するために属性に基づいて文書の電子版内のテキストを再フォーマットする、方法。
【請求項２】
画像は、テキストの少なくとも一部が、文書の電子版の全てを目標のサイズにスケーリングするのに要求される量だけスケーリングされる場合、より大きく見えるテキストの少なくとも一部を有する文書のサイズよりも小さい目標サイズでの走査された文書の表現を有する、請求項１に記載の方法。
【請求項３】
更に、
レイアウト分析の実行の結果として発生されたレイアウト情報から、キャラクタセットのサイズを決定し、
キャラクタセットのサイズに基づいて処理されているテキストゾーンのスケーリングファクタを発生する、
ことを、有する請求項１に記載の方法。
【請求項４】
更にファイル内に、文書の、再フォーマットされた電子版及び非再フォーマット版を記憶することを有する、請求項１に記載の方法。
【請求項５】
ＪＰＭファイル内のコードストリームが、再フォーマットされた電子版及び非再フォーマットされた電子版の両方に使用される、請求項４に記載の方法。
【請求項６】
更に、オリジナルの電子版に適用する命令であるレイアウトボックスを有するオリジナルの電子版を記憶する、請求項１に記載の方法。
【請求項７】
文書の電子版についてのレイアウト分析情報を取得し、
レイアウト分析情報を使用して文書の電子版のテキストゾーンに属性を割当て、
属性に基づいて文書の電子版の操作を実行する、方法。
【請求項８】
前記属性は、テキストゾーンの各々についての、スケーリング及び重要度情報を有する、請求項７に記載の方法。
【請求項９】
前記スケーリング情報は、テキストゾーンが、まだ読出し可能なまま残りスケーリングされる量を示し、重要度情報は、テキストゾーンの重要度を示す、請求項８に記載の方法。
【請求項１０】
前記動作は、リフローの一部としての記号的な再フォーマッティングである、請求項７に記載の方法。
【請求項１１】
更にキャンバスに適合するように、１つ又はそれ以上のテキストゾーンを選択することを含む、請求項７に記載の方法。
【請求項１２】
前記１つ又はそれ以上のテキストゾーンを選択することは、少なくとも１つのテキストゾーンがキャンバスに適合するかどうかを決定するために、少なくとも１つのテキストゾーンをの記号的再フォーマッティングを実行することを含む、請求項１１に記載の方法。
【請求項１３】
文書に関するレイアウト分析情報を取得し、
前記レイアウト分析情報を使用して１つ又はそれ以上のテキストゾーンへ文書をセグメント化し、
前記レイアウト分析情報を使用して１つ又はそれ以上のテキストゾーンの各々についてスケーリング及び重要度情報を発生し、
選択されたテキストゾーンの部分がスケーリング情報及び異なるシーケンスのラインへのテキストのリフローに基づいてスケーリングを受けた後に、重要度及びスケーリング情報に基づいて且つ画像表現に適合する選択されたテキストゾーンの一部に基づいて、目標サイズで文書の画像表現に適合する文書内の１つ又はそれ以上のテキストゾーンの一部を選択し、
目標サイズでの画像表現を発生するために、選択されたゾーンに基づいて文書を再フォーマッティングする、方法。
【請求項１４】
前記レイアウト分析情報を得ることは、文書を走査することにより、レイアウト分析情報を取得することを有する、請求項１３に記載の方法。
【請求項１５】
文書からレイアウト分析情報を取得し、
前記レイアウト分析情報を使用して１つ又はそれ以上のテキストゾーンへ文書をセグメント化し、
制約されたサイズのディスプレイに結果のテキストを適合させるために、１つ又はそれ以上のテキストゾーンで、テキストのスケーリング及びクロッピングを実行する、方法。
【請求項１６】
１つ又はそれ以上の文書ページと１つ又はそれ以上の縮小されたサイズの画像を記憶するファイルフォーマットの１つ又はそれ以上のコードストリームを有するファイルを受信し、
１つ又はそれ以上の縮小されたサイズの画像を含む１つ又はそれ以上のボックスの位置を特定し、
１つ又はそれ以上の縮小されたサイズの画像の少なくとも１つを復号する、復号方法。
【請求項１７】
前記縮小されたサイズの画像の１つは、
テキストゾーンの位置を特定するために文書の電子版のレイアウト分析を実行し、
文書の電子版のテキストゾーンへスケールと重要度についての属性を割当て、
画像を生成するために属性に基づいて文書の電子版内のテキストを再フォーマットする、
ことにより、生成される制約されたディスプレイ文書表現である、請求項１６に記載の方法。
【請求項１８】
文書の電子版についての多重解像度セグメント化画像を発生し、
多重解像度セグメント化画像内のそれらの位置と多重解像度ビット分布と共に、画像連結コンポーネントのリストを発生するために、前記多重解像度セグメント化画像に、連結コンポーネント分析を実行し、
テキストゾーンの位置を特定するために、文書の電子版のレイアウト分析を実行し、
前記文書の電子版のテキストゾーンへ属性を割当て、
前記テキストゾーンに関連するテキストコンポーネントのリストを生成し、
とテキストコンポーネントと多重解像度画像の画像連結コンポーネントに関連するコンポーネント画像を併合する、方法。
【請求項１９】
更に、レイアウト分析の境界ボックスを使用してテキストゾーンのコンポーネント画像を生成することを含む、請求項１８に記載の方法。
【請求項２０】
更に、連結コンポーネントのリスト内の画像コンポーネントの各々について属性を得ることを含む、請求項１８に記載の方法。
【請求項２１】
前記コンポーネント画像を併合することは、テキストコンポーネントを有する各画像コンポーネントの間のオーバーラップを計算することを含む、請求項１８に記載の方法。
【請求項２２】
更に、オーバーラップの量が第１のしきい値よりも大きく且つ第２のしきい値よりも小さい場合には、画像コンポーネントから少なくとも１つのテキストコンポーネントを減ずることを含む、請求項１８に記載の方法。
【請求項２３】
併合は、１つ又はそれ以上の属性に基づいている、請求項１８に記載の方法。
【請求項２４】
前記１つ又はそれ以上の属性は、テキストコンポーネントについてのレイアウトの分析からの重要度を含む、請求項２３に記載の方法。
【請求項２５】
テキストゾーンの位置を特定するために文書の電子版のレイアウト分析を実行する手段と、
文書の電子版のテキストゾーンへスケールと重要度についての属性を割当てる手段と、
画像を生成するために属性に基づいて文書の電子版内のテキストを再フォーマットするす段とを有する装置。
【請求項２６】
文書の電子版についてのレイアウト分析情報を取得する手段と、
レイアウト分析情報を使用して文書の電子版のテキストゾーンに属性を割当てる手段と、
属性に基づいて文書の電子版の操作を実行する手段とを有する装置。
【請求項２７】
文書に関するレイアウト分析情報を取得しする手段と、
前記レイアウト分析情報を使用して１つ又はそれ以上のテキストゾーンへ文書をセグメント化する手段と、
前記レイアウト分析情報を使用して１つ又はそれ以上のテキストゾーンの各々についてスケーリング及び重要度情報を発生する手段と、
選択されたテキストゾーンの部分がスケーリング情報及び異なるシーケンスのラインへのテキストのリフローに基づいてスケーリングを受けた後に、重要度及びスケーリング情報に基づいて且つ画像表現に適合する選択されたテキストゾーンの一部に基づいて、目標サイズで文書の画像表現に適合する文書内の１つ又はそれ以上のテキストゾーンの一部を選択する手段と、
目標サイズでの画像表現を発生するために、選択されたゾーンに基づいて文書を再フォーマッティングする手段とを有する装置。
【請求項２８】
文書の電子版についての多重解像度セグメント化画像を発生する手段と、
多重解像度セグメント化画像内のそれらの位置と多重解像度ビット分布と共に、画像連結コンポーネントのリストを発生するために、前記多重解像度セグメント化画像に、連結コンポーネント分析を実行する手段と、
テキストゾーンの位置を特定するために、文書の電子版のレイアウト分析を実行する手段と、
前記文書の電子版のテキストゾーンへ属性を割当てる手段と、
前記テキストゾーンに関連するテキストコンポーネントのリストを生成する手段と、
とテキストコンポーネントと多重解像度画像の画像連結コンポーネントに関連するコンポーネント画像を併合する手段とを有する装置。